(57)【要約】【課題】  任意の場所に、芝生のような植栽を、簡便に敷設できる人工植栽マットを提供する。【解決手段】  板状の基材１の一方の面に、苗床材２を貼り付け、苗床材２に植物に育成して、人工植栽マットとする。苗床材２には、綿屑、おが屑、フェルト、木材チップ、籾殻から選ばれる少なくとも１種を用いるか、それらを通常の培地に混合して用いることができる。【選択図】図１
0003194627.tif 000002
【実用新案登録請求の範囲】
【請求項１】
板状の基材の一方の面に接合してなる苗床材と、前記苗床材に育成してなる植物を有することを特徴とする人工植栽マット。
【請求項２】
前記苗床材は、綿屑、おが屑、フェルト、木材チップ、籾殻から選ばれる少なくとも１種を含むことを特徴とする、請求項１に記載の人工植栽マット。
【考案の詳細な説明】
【技術分野】
【０００１】  本考案は、各種のマット表面に培地の代用品となる材料からなる苗床材を貼り付け、植物を育成した人工植栽マットに関するものである。
【背景技術】
【０００２】  地球の温暖化について、警鐘が鳴らされて久しいが、大都市においては、ヒートアイランド現象により、周辺の地域より高温になることがある。この原因には、冷房装置や自動車などから排出される廃熱、多数の高層建築物の気流遮断作用による熱気の停滞、地表がアスファルト合材やコンクリートで覆われていることによる輻射熱などがある。【０００３】  このため、夏季の猛暑日には、地表面温度は５０℃近くまで上昇し、これによって生じる上昇気流は、昨今多発しているゲリラ豪雨の一因ともなっている。これに対処する方法の一つに、地表や建築物の屋上への植栽がある。そして植栽の効果は、ヒートアイランド現象抑制の他に、景観に潤いを与えたり、運動の場を提供したりするもので、他方面に及ぶ。従って、地表や建築物の屋上、さらには建築物の壁面を緑化するための、部材やシステムが、前記課題解決に資するところは極めて大きいと言える。【０００４】  そして、前記のような課題に対処するものとして、特許文献１には、法面に改良土を形成するステップと、前記改良土に中和剤とフルボ酸を施すステップと、前記中和剤とフルボ酸が施された前記改良土に、植栽を行うステップと、からなる法面緑化工法が開示されている。ここに開示されている工法によれば、都市部における、適当な用途がない傾斜地に限らず、水平な平坦地などに植栽を行い、緑地面積を増加することができるが、比較的大掛かりな工事が必要となり、一定以上の面積を対象にしないと、十分なコストパフォーマンスが得られないという課題がある。【０００５】  また、特許文献２には、プラスチック材料からなる長手の有底中空状に形成された容器に、複数の差込孔を列設し、吸水マットを巻き回した、観葉植物の根部を、着脱自在に挿嵌可能としたカートリッジ式プランターが開示されている。これは狭い場所でも簡便に緑化できるという利点があるが、一般的な芝生のような使用方法、つまり、その上を歩いたり、その上に座ったりするという使用方法には適さない。
【先行技術文献】
【特許文献】
【０００６】
【特許文献１】  特開２０１４−０７７３１０号公報
【特許文献２】  特開２０１３−０９４１４６号公報
【考案の概要】
【考案が解決しようとする課題】
【０００７】  従って、本考案の課題は、任意の場所に、芝生のような植栽を、簡便に敷設できる人工植栽マットを提供することにある。
【課題を解決するための手段】
【０００８】  本考案は、前記課題の解決のため、任意の面積の平坦面に敷き詰めることが可能な人工植栽マットの構造を、鋭意検討した結果なされたものである。【０００９】  即ち、本考案によれば、板状の基材の一方の面に接合してなる苗床材と、前記苗床材に育成してなる植物を有することを特徴とする人工植栽マットが得られる。【００１０】  また、本考案によれば、前記床材が、綿屑、おが屑、フェルト、木材チップ、籾殻から選ばれる少なくとも１種を含むことを特徴とする、前記の人工植栽マットが得られる。
【考案の効果】
【００１１】  本考案に係る人工植栽マットによれば、コンクリートやアスファルト合材で作られた駐車場を始め、植物の育成に適さない土壌に、植物や野菜を生育させ、道路工事などに伴って発生する法面の侵食防止や、緑地の景観の創成や確保、屋上緑化などに有用である。また、西洋芝をこのマットに育成することで、人工芝やゴムマットではなく、天然芝を用いた、ゴルフ練習も可能になる。【００１２】  コンクリートなどで舗装された駐車場などでは、緑のあることの癒しを生むことはできないが、本考案に係る人工植栽マットは、街に癒しを与えるとともに、温度上昇の低減効果も勿論であるが、大雨時には、雨が従来の地面に浸み込むのと同じように、水を吸い込み保水の役目も果たし、コンクリートから、一気に下水に流れ込む雨水を、一時的にも減少することにもなる。【００１３】  また、道路工事などに伴い、発生する法面に、機械を使用して種子を吹き付けるなどの方法で散布し、植物を育成する方法などがあるが、法面に根を張り成長するまでに、一定の時間を要し、十分に根付くまでに降雨による種子の流夫などが問題となる。本考案に係る人工植栽マットにおいては、植物をある程度育成してから設置することができるので、このような場合にも対処できる。【００１４】  また、植物の育成に適さない土壌や、あるいは雑草の繁茂が障害となる場所に、雑草防止のマットを敷く前に、本考案に係る人工植栽マットを地面に敷き詰め、雑草など繁茂を阻みながら植物や野菜を育成することも可能となる。【００１５】  また、本考案に係る人工植栽マットは、形状や大きさについても自由に設定ができることと、育成された植物の種類によっては丸めたり、たたんだりすることで、持ち運びや移動も容易となる。そして、例えば人工芝マットを使用してこれらのマット苗床を製作する場合、この人工芝マットに綿屑や、ニードルフェルトを使用しないで、人工芝マットに直接苗床材を製造し、育成することも可能であるが、植物の根の張り付きが弱く、植物育成には不安定である場合には、根の張り付をより強く強化できる苗床材とするため綿屑、ニードルフェルトを、各マットに使用することによって、より根の張り付きの強さを生み出すことができる。【００１６】  ただし、ニードルフェルトの場合には綿屑を敷くことなく、直接苗床材をニードルフェルトマットに製作も可能であり、植物の育成も順調に育成できる。直接マットに使用可能なマットには、人工芝マット、アルミニウムマットを、草除けシート、稲苗シートなどは綿屑、ニードルフェルトを敷かなくとも、根を張り育成も可能であるが、植物育成には不安定となる。【００１７】  ただし、ここで重要になるのは、一般の植物育成は、直接地面に種子をまき、育成するが、この場合植物の根は地面に張り付き、マットを使用しても根は地面に張るので、植物を移動するとき、植物の根をカットするなどを行うため、根を傷めることになる、そのため、本考案においては、これらを防止する方法として、水、空気を通すメッシュを使用して地面と間隔を３〜１０ｃｍに保つ設計にてセットし、このメッシュの上にマットを敷き詰めて植物を育成することもできる。【００１８】  これによって、植物の根は、移動するときもマットに��付いているので、移動の時、地面に根が張り付いていないため、地面との根をカットすることなどもなく、植物の根を傷めることなくし、丸めたり、たたんだりして、設置場所に移動が可能となる。また、メッシュなどの代替として、草除けシートやアルミニウムシートを敷き、これらのシートの上に本考案に係る人工植栽マットを敷き詰めて育成も可能である、これはアルミニウムシートの場合は、根が張ってもその強さが弱く根をいためることなく移動が可能となるためである。【００１９】  なお、前記のように、本考案に係る人工植栽マットの設置する場合にあたっては、直接コンクリートなどの上に直接しないで、地面との間に間隔を設けて設置することは、マットからの余剰の水を通すメッシュ、マルチパーク、キャスター台等の用具を使用し、地面との間隔を保ち、地面と人工植栽マットとの間に空気の流れを作り、過度の昇温や蒸れによる根腐れなどに対処することもできる。
【図面の簡単な説明】
【００２０】
【図１】  本考案に係る人工植栽マットの一例の断面を示す図。
【考案を実施するための形態】
【００２１】  図１は、本考案に係る人工植栽マットの一例の断面を示す図である。図１において、１は基材、２は苗床材、３は植物の根部、４は植物の葉部である。
【００２２】  本考案に係る人工植栽マットの基本的な構成は、図１に示した通りで、本考案に係る人工植栽マットに植物の育成を行うためには、人工植栽マットに用いられる各種人工芝マット、アルミニウムマット、草除けシート、ニードルフェルトの各マットに、綿層やニードルフェルトマットを敷くだけでは植物は育成することができないため、植物の育成が可能な苗床材をこれらのマットに製造しなければならないが、その手順として、人工植栽マットに敷き詰める綿屑やニードルフェルトは、使用する前に、充分な水を吸水させておかなければならない。
【００２３】  その理由として、これらの物質は撥水性もあるため、水を充分に吸わせることによって、水を撒いたときそれを吸い込み植物の根を張りやすい状況を作りだすための作業として必要なことがある。その上で人工植栽マットを敷き、その人口植栽マットに、綿屑または、ニードルフェルトを敷き、次に根を張りやすくするために籾殻を全体に撒き、植物の育成に必要な苗床材として一般に市販されている種撒き用培養土、園芸用川砂、化成肥料を、製造するマットの大きさに合わせた適量を混合し、約２〜４ｃｍの厚さで綿屑、籾殻などが敷かれたマット上に敷き詰めて、全体を板やレンガなどで軽く固形し、表面に育成する種を撒き、種隠しに砂を薄くかぶせ、または挿し木を行い、水をできれば霧状の状態で十分与える。
【００２４】  なお、綿屑と、ニードルフェルトを一緒に使用することなく、ニードルフェルトを育成マットのマット兼用として使用の場合は、このニードルフェルトにこれらの手順を踏むことで綿屑を、ニードルフェルトに使用しなくても育成は可能であるが、ただし、植物の育成には、ニードルフェルトをマットとして使用する場合でも、綿屑を使用することでよりよい植物の育成ができることになる。
【００２５】  本考案に係る人工植栽マットを設置する場所は、壁面緑化の一種である一般家庭のフェンスなどにも使用する計画の場合は、事前にマットにフェンスと結束するための結束バンドをセットしておくことによって、より設置も便利になるが、フェンスでなく、壁面に設置の場合は、接着剤にて使用することも可能である。
【００２６】  ゴルフ用に製作する場合、育成手順は上記の通りであるが、西洋芝をマットに育成し、ゴルフ打撃の練習に使用するため、芝の美しさなど本来の目的でなく、継続使用するものではなく、打撃によって苗床と一緒に芝も傷を負うことで、使用され期間が短く、苗床の傷も少なくすることを考慮し、苗床材は他の植物用の苗床材量と違い、その厚さを薄くして、その役割を果たすことができる。
【００２７】  ただし、この人工植栽マットにボールを置き打撃を行うためには、ただ育成するのではなく、芝の成長後、芝の長さを練習目的に合わせた長さにカットし、ローラーなどで全体と苗床部分を平らに固めて、苗床の部分が直接アイアンなどによって打撃された場合、水分が多く柔らかいと、苗床の部分がその打撃によって土がえぐられることにもなり、それを解消するために、苗床材の部分を乾燥し、水分を少なくすることでアイアンショットなどの打撃に耐えて使用することができることになる。
【００２８】  芝はローラーをかけても１〜２日で元に戻るため、芝としての活用に問題はない。ゴルフの場合は、マット上や地面に直接置いての打撃練習に使用することができ、アマチュアゴルファにとっては、ゴルフ場の感覚を味わうことができ、芝の長さも自由にカットできる利点もある。また、一般家庭においても、玄関マット、ベランダ用マットとしても使用でき、また、公園、家庭の地面の雑草を防止しながら育成することも可能となる。
【００２９】  駐車場にセットする植物は、草花の背丈の低い芝桜、マツバギク、クローバー、西洋芝、パンジー、ビオラなどの植物が適した植物と言える。雑草の繁茂を防止しながら、庭でホウレン草の育成や、ナデシコ、マツバボタンなどの花を咲かせることもできる。これらに使用される材料を調達するとき、一般家庭で廃棄物として有料で回収される座布団、敷布団を廃棄物としてではなく、廃棄される座布団や、敷布団の表面の布の部分をカットして、使用されている綿をそのまま使用し、人エマットの各マットをこの座市団や、敷布団の底に敷くことで植物、野菜を、庭や駐車場のコンクリート、あるいは地面の雑草防止をもかねて育成することも可能であり、廃棄物の低減を含めたリサイクルにもなる。
【００３０】  以上に説明したように、本考案によれば任意の平坦の場所を、簡便に緑化できる人工植栽マットを提供でき、都市部のヒートアイランド現象の抑制や、景観の改善に寄与するところは極めて大きいと言える。
【符号の説明】
【００３１】１・・・基材
２・・・苗床材
３・・・植物の根部
４・・・植物の葉部
【図１】
0003194627.tif 000003